(57)【要約】【課題】廉価に製作でき、かつ確実な偽造防止機能を付与できるカード付き帳票を提供すること。【解決手段】単片帳票４０の領域内にミシン目からなる切り取り線５１で囲まれたカード片５０を形成し、カード片５０の少なくとも一辺の切り取り線５１に微小カット部５３ａと微小アンカット部５３ｂとからなる微小ミシン目５３を含むようにした。【選択図】図１
2009023120.tif 000002
【特許請求の範囲】
【請求項１】
基材シートの裏面に樹脂フィルムが貼付され、樹脂フィルムに対向して剥離可能シートが疑似接着された単片帳票の領域内に切り取り線で囲まれたカード片が形成され、カード片の少なくとも一辺の切り取り線が、カット部とアンカット部からなる通常ミシン目の一部に通常ミシン目のカット部よりも短い微小カット部と通常ミシン目のアンカット部よりも短い微小アンカット部とからなる微小ミシン目を含んでいることを特徴とするカード付き帳票。
【請求項２】
上記微小ミシン目が長さの異なる微小カット部と微小アンカット部を不規則に配置したものであることを特徴とする請求項１に記載のカード付き帳票。
【請求項３】
上記カード片の角部がカット部で構成されていることを特徴とする請求項１または２に記載のカード付き帳票。
【請求項４】
上記微小ミシン目の微小アンカット部に対する微小カット部のタイカット比率が１：４以下に設定されていることを特徴とする請求項１〜３のいずれか１項に記載のカード付き帳票。
【発明の詳細な説明】
【技術分野】
【０００１】
本発明は単片帳票に切り離し可能なカード片を形成したカード付き帳票に関する。
【背景技術】
【０００２】
従来、カード付き帳票については、帳票に形成したカード片の偽造を防止するために印刷やホログラム加工を施す方法が採られていた。例えば、下記の特許文献１には、本出願人が先に出願して特許された隠蔽カードに関する発明が開示されている。
【０００３】
特許文献１の隠蔽カードは、カード基材の隠蔽情報表示部の上に粘着剤層を介して接着された第１のフィルム層と、第１のフィルム層上に疑似接着された第２のフィルム層と、隠蔽情報表示部を隠蔽する隠蔽手段とを備え、２つのフィルム層のうち少なくとも第１のフィルム層にホログラムが形成されている。そして、第１のフィルム層と第２のフィルム層の疑似接着面で両者を剥離すると第１のフィルム層側の剥離面にホログラムが出現し、この第１のフィルム層を通して隠蔽情報表示部の表示内容が見えるようになっている。これにより、ホログラム干渉縞による高い意匠効果を付与することができるとともに、偽造防止機能を持たせることもできる。
【０００４】
しかしながら、上記の隠蔽カードのようなホログラム加工を施した帳票の場合、偽造防止としての確実性はあるものの、材料費が高価で余分な貼付工程が必要になる等、帳票の作製コストが高くなってしまうという問題があった。また、偽造防止印刷については、スラーや網点などを用いた方式も採用されているが、近年では複写機の解像度の向上によってその偽造防止効果が弱くなっているという問題もある。
【０００５】
【特許文献１】特許第２８９４４９２号公報
【発明の開示】
【発明が解決しようとする課題】
【０００６】
本発明は以上のような問題を解決するためになされたものであり、その目的とするところは、廉価に製作でき、かつ確実な偽造防止機能を付与できるカード付き帳票を提供することにある。
【課題を解決するための手段】
【０００７】
上記の目的を達成するため、本発明のカード付き帳票は、基材シートの裏面に樹脂フィルムが貼付され、樹脂フィルムに対向して剥離可能シートが疑似接着された単片帳票の領域内に切り取り線で囲まれたカード片が形成され、カード片の少なくとも一辺の切り取り線が、カット部とアンカット部からなる通常ミシン目の一部に通常ミシン目のカット部よりも短い微小カット部と通常ミシン目のアンカット部よりも短い微小アンカット部とからなる微小ミシン目を含んでいることを特徴とする。
【０００８】
切り取り線とは、基材にカット加工を施してカット部とアンカット部を形成したミシン目のように、カッター等の刃具を使用しなくても基材を切断できるようにした線のことをいう。また、微小ミシン目は、マイクロミシン目とミニピッチミシン目を含む。マイクロミシン目とはカット部とアンカット部の長さがそれぞれ０．５ｍｍ以下に設定されたミシン目を意味し、ミニピッチミシン目とはカット部とアンカット部の長さがそれぞれ１．５ｍｍ以下に設定されたミシン目を意味し、これに対してカット部とアンカット部の長さがそれぞれ１．５ｍｍを超えるミシン目を通常ミシン目と定義する。
【０００９】
本発明において、カード片の少なくとも一辺の一部に微小ミシン目を含むようにした理由は、一辺全体が微小ミシン目の場合には印刷機のミシン刃で簡単にカット加工が可能であるのに対し、部分的な微小ミシン目の場合にはミシン刃を交換しなければならず、カット加工に手間が掛かり正確に偽造することが難しくなるからである。このような構造によれば、単片帳票からカード片を切り離すと、カード片の微小ミシン目を切断した小口に微小な凹凸部が発生するので、この凹凸部の有無やその形状の相違によって正規のカード片であるかどうかの真偽判別を行うことができる。
【００１０】
また、本発明は、上記の構成からなるカード付き帳票において、以下のような各種の構造を採用してもよい。
【００１１】
例えば、上記微小ミシン目が長さの異なる微小カット部と微小アンカット部を不規則に配置したものであると、切り取ったカード片の切断小口に部分的に不規則な凹凸部ができるので偽造防止効果が高くなる。また、上記カード片の角部がカット部で構成されていると、カード片を切り離すときに角部を起点に裂けてしまうことがなくなる。さらに、カード片の切り離しやすさや切り離したカード片の凹凸部による偽造判断などを考慮すると、上記微小ミシン目の微小アンカット部に対する微小カット部のタイカット比率が１：４以下に設定されていることが好ましい。
【発明の効果】
【００１２】
以上説明したように、本発明のカード付き帳票によれば、切り取り線を切断して単片帳票からカード片を切り離すと、カード片における微小ミシン目の切断小口に微小な凹凸部が発生し、この凹凸部の有無やその形状の相違によって正規のカード片であるかどうかの真偽判別を行うことが可能になるので、簡単かつ廉価な加工で確実な偽造防止機能を持たせることができるという効果がある。
【発明を実施するための最良の形態】
【００１３】
以下、本発明の実施の形態について、図面を参照しながら説明する。
【００１４】
図１は本発明のカード付き帳票の全体図である。
【００１５】
図１に示すように、このカード付き帳票１０は、連続用紙２０を用いて作製された折り畳み可能な連続帳票であり、連続用紙２０に複数枚のカード片５０，５０，…が健康保険被保険者証として設けられている。連続用紙２０を構成する基材としては、各種の紙の中からカード片の用途に応じて選択することができるが、折り畳んだときにカード片５０の部分で折れ曲がってしまう現象、いわゆる中折れ現象を防ぐため、用紙の腰が強すぎないものがよい。本実施形態では、上質紙（連量：四六判１１０ｋｇ）からなる基材シート２１の両側縁部に所定ピッチで送り孔２２を開設した連続用紙２０を使用している。
【００１６】
連続用紙２０の長手方向には、所定間隔をあけて複数の折り線４１，４１，…が設けられており、連続用紙２０はこれらの折り線４１を介して複数の単片帳票４０，４０，…に区画されている。折り線４１は、基材シート２１にカット加工やプレス加工を施して基材シート２１の折り位置を明確にするとともに折り曲げやすくした線である。本実施形態では、連続用紙２０を山折りする山折り線４２と谷折りする谷折り線４３が交互に配置されており、山折り線４２はカット部４２ａをアンカット部４２ｂよりも長く設定したプレスミシン目で構成され、谷折り線４３は逆にカット部４３ａをアンカット部４３ｂよりも短く設定したプレスミシン目で構成されている。
【００１７】
図２は、カード付き帳票の断面図である。
【００１８】
図２に示すように、連続用紙２０の裏面にはカード片５０よりもひと回り大きな単片状の剥離可能シート３０が疑似接着されている。すなわち、各単片帳票４０には基材シート２１の裏面に粘着剤層２３によってＰＥＴ（ポリエチレンテレフタレート）からなる第１の樹脂フィルム層２４が設けられており、この第１の樹脂フィルム層２４に対向して、上質紙（連量：四六判４５ｋｇ）による基材３１の表面にＰＥ（ポリエチレン）からなる第２の樹脂フィルム層３２を設けた剥離可能シート３０が仮着されている。
【００１９】
図３は、カード付き帳票におけるカード片付近の拡大図である。
【００２０】
図３に示すように、各単片帳票４０の領域内には、切り取り線５１で囲まれたカード片５０が形成されている。切り取り線５１は、基材シート２１にカット加工を施してカット部とアンカット部を形成し、カッター等の刃具を使用しなくても基材シートを切断できるようにした線である。カード片５０の少なくとも一辺の切り取り線５１は、カット部５２ａとアンカット部５２ｂからなる通常ミシン目５２の一部に微小ミシン目５３を含んでいる。微小ミシン目５３を含む切り取り線５１は、カード片５０における連続用紙２０の幅方向に沿った一辺に設けられている。ここで、カード片５０の一辺の一部に微小ミシン目５３が含まれているのは、部分的な微小ミシン目５３にすることによって、カット加工を複雑化して確実に偽造を防止するためである。
【００２１】
微小ミシン目５３を含む切り取り線５１は、本実施形態では隣り合う単片帳票４０に対して長手方向の両側に設けられているが、少なくとも山折り線４２側に設けられていればよい。その理由は、プリンタの折り畳みユニットで折り畳む際に谷折り線４３よりも山折り線４２に近い部分で中折れ現象が発生しやすく、山折り線４２の手前にあるカード片の切り取り線５１部分で発生する中折れ現象を防ぐためである。
【００２２】
カード片５０の角部は通常ミシン目５２のカット部５２ａで構成されている。カード片５０の角部にアンカット部５２ｂがあると、カード片５０を剥がす際に裂けやすくなってしまうからである。したがって、アンカット部５２ｂの開始位置をカード片５０の角部から少なくとも５ｍｍ以上離すことが好ましい。また、本実施形態ではカード片５０を摘みやすくするため、４つの角部をすべて湾曲状にカットしたラウンドコーナー部５４が形成され、ラウンドコーナー部５４からカード片５０の外側に向かって延びるスリット５５が形成されている。
【００２３】
図４は、カード片における微小ミシン目付近の拡大図である。
【００２４】
図４に示すように、微小ミシン目５３は、通常ミシン目５２のカット部５２ａよりも長さの短い微小カット部５３ａと、通常ミシン目５２のアンカット部５２ｂよりも長さの短い微小アンカット部５３ｂとから構成されている。また、微小ミシン目５３は互いに長さの異なる微小カット部５３ａと微小アンカット部５３ｂを不規則に配置したものであることが好ましい。微小カット部５３ａと微小アンカット部５３ｂの配置を不規則なパターンにすると、剥がし取ったカード片５０の縁部に部分的に不規則な凹凸部５６ができ、偽造防止効果が高くなる。
【００２５】
本実施形態の微小ミシン目５３は、微小カット部５３ａの長さＬ１が０．３ｍｍ以下、微小アンカット部５３ｂの長さＬ２が０．２ｍｍ以下であり、微小アンカット部５３ｂに対する微小カット部５３ａのタイカット比率（Ｌ２：Ｌ１）が１：４以下に設定されたマイクロミシン目である。これは、カード片５０の剥がしやすさ、印字時の単片帳票４０の中折れ現象防止、さらには剥がしたカード片５０の一部の凹凸部５６による偽造判断など、総合的なバランスを考慮したことによる。一般にアンカット部が０．３ｍｍ以下の刃型を製作するのは困難であり、腐食刃と呼ばれる刃型のように一般の刃型に比べて特殊なカッティング技術が必要となる。なお、本実施形態の微小ミシン目５３のサイズは一例であり、微小カット部が０．２ｍｍ、微小アンカット部が０．１５ｍｍのマイクロミシン目や、微小カット部が０．９ｍｍ、微小アンカット部が０．３ｍｍのミニピッチミシン目、あるいは微小カット部が１．２ｍｍ、微小アンカット部が０．３ｍｍのミニピッチミシン目等にしてもよい。
【００２６】
図５は、連続用紙を折り畳んだ時の状態を示す説明図である。
【００２７】
図５に示すように、本実施形態のカード付き帳票１０は、上記のように構成されているので、プリンタでカード片５０に所定事項（本実施形態では健康保険被保険者証の有効期限、記号、氏名、性別など）を印字した後、折り畳みユニットにおいて、山折り線４２での山折り作業と谷折り線４３での谷折り作業を繰り返すことによって、連続用紙２０をジグザグに折り畳めるようになっている。
【００２８】
ここで、谷折り線４３は山折り線４２に比べて折れにくいプレスミシン目で構成されているため、谷折り線４３の折れ山の厚みを山折り線４２の折れ山の厚みに揃えることが可能になる。これにより、連続用紙２０の折り畳み端部の高さが等しくなるので、折り畳み後のカード付き帳票１０の倒れ込みを防ぐことができる。また、単片帳票４０には連続用紙２０の幅方向に沿って通常ミシン目５２のアンカット部５２ｂや微小ミシン目５３のアンカット部５３ｂが設けられているため、カード片５０の切り取り線５１部分で折れにくくなり、折り畳みユニットでの中折れ現象を確実に防止することができる。
【００２９】
図６はカード付き帳票からカード片を剥離する時の状態を示す説明図である。
【００３０】
図６に示すように、カード片５０の４つの角部には外側に向かって延びるスリット５５が形成されており、いずれかのスリット５５を裂いてラウンドコーナー部５４を摘んで剥がすと、カード片５０は基材シート裏面の第１の樹脂フィルム層２４と剥離可能シート表面の第２の樹脂フィルム層３２との間の疑似接着面を介して剥離される。このとき、カード片５０の角部分はカット部５２ａにより構成されているので、剥離時にカード片５０の角部が裂けてしまうことがなく、カード片５０全体をきれいに剥がし取ることができる。
【００３１】
図７は剥離したカード片の状態を示す説明図である。
【００３２】
図７に示すように、カード付き帳票１０から剥がし取ったカード片５０は、その縁部に微小ミシン目５３を切断した小口に微小な凹凸部５６が発生するので、この凹凸部５６の有無、あるいはその形状の相違によって正規のカード片５０であるかどうかの真偽判別を行うことができる。また、微小ミシン目５３の微小カット部５３ａと微小アンカット部５３ｂの連続パターンを不規則に配置した場合には、これに伴って切断小口も不規則な凹凸部５６になるので、偽造防止効果がより一層高くなるという効果が得られる。
【図面の簡単な説明】
【００３３】
【図１】本発明のカード付き帳票の全体図。
【図２】図１のＡ−Ａ線断面図。
【図３】カード付き帳票におけるカード片付近の拡大図。
【図４】カード片における微小ミシン目付近の拡大図。
【図５】連続用紙を折り畳んだ時の状態を示す説明図。
【図６】カード付き帳票からカード片を剥離する時の状態を示す説明図。
【図７】剥離したカード片の状態を示す説明図。
【符号の説明】
【００３４】
１０…カード付き帳票
２０…連続用紙
２１…基材シート
２２…送り孔
２３…粘着剤層
２４…第１の樹脂フィルム層
３０…剥離可能シート
３１…基材
３２…第２の樹脂フィルム層
４０…単片帳票
４１…折り線
４２…山折り線
４２ａ…カット部
４２ｂ…アンカット部
４３…谷折り線
４３ａ…カット部
４３ｂ…アンカット部
５０…カード片
５１…切り取り線
５２…通常ミシン目
５２ａ…カット部
５２ｂ…アンカット部
５３…微小ミシン目
５３ａ…微小カット部
５３ｂ…微小アンカット部
５４…ラウンドコーナー部
５５…スリット
５６…凹凸部
【図１】
2009023120.tif 000003
【図２】
2009023120.tif 000004
【図３】
2009023120.tif 000005
【図４】
2009023120.tif 000006
【図５】
2009023120.tif 000007
【図６】
2009023120.tif 000008
【図７】
2009023120.tif 000009